(57)【要約】      （修正有）【課題】隔壁９３が外力や熱膨張で撓まない電子機器を提供することを課題とする。【解決手段】本体を内蔵するケース１の前面開口部に配置され、表示用開口部２２と、該表示用開口部に隣接する記録媒体挿排用開口部２１を有する前面板２と、画像や文字を表示する表示板１２１を有し、該表示板を収納する筐体からなる表示部１２と、前記表示部を前記ケース側に位置決め固定するためのホルダ３とを備えた電子機器１００の筐体構造において、前記表示用開口部と前記記録媒体挿排用開口部の間に形成された隔壁２３と、前記ホルダの周縁の一方に係止片３３を形成し、他方に挿入部を形成してなる嵌合手段２４，３３１と、を備えたことを特徴とする。【選択図】図１
2004246941.tif 000002
【特許請求の範囲】
【請求項１】
本体を内蔵するケースの前面開口部に配置され、表示用開口部と、該表示用開口部に隣接する記録媒体挿排用開口部を有する前面板と、
画像や文字を表示する表示板を有し、該表示板を収納する筐体からなる表示部と、
前記表示部を前記ケース側に位置決め固定するためのホルダとを備えた電子機器の筐体構造において、
前記表示用開口部と前記記録媒体挿排用開口部の間に形成された隔壁と、前記ホルダの周縁の一方に係止片を形成し、他方に挿入部を形成してなる嵌合手段と、を備えたことを特徴とする電子機器の筐体構造。
【請求項２】
本体を内蔵するケースの前面開口部に配置され、表示用開口部と、該表示用開口部に隣接する記録媒体挿排用開口部を有する前面板と、
画像や文字を表示する表示板を有し、該表示板を収納する筐体からなる表示部と、
前記表示部を前記ケース側に位置決め固定するためのホルダとを備えた電子機器の筐体構造において、
前記表示用開口部と前記記録媒体挿排用開口部の間に形成された隔壁と、前記表示部を収納する筐体の周縁の一方に係止片を形成し、他方に挿入部を形成してなる嵌合手段と、を備えたことを特徴とする電子機器の筐体構造。
【請求項３】
本体を内蔵するケースの前面開口部に配置され、表示用開口部と、該表示用開口部に隣接する記録媒体挿排用開口部を有する前面板と、
画像や文字を表示する表示板を有し、該表示板を収納する筐体からなる表示部と、
前記表示部を前記ケース側に位置決め固定するためのホルダとを備えた電子機器の筐体構造において、
前記表示用開口部と前記記録媒体挿排用開口部の間に形成された隔壁に形成された貫通してなる第１の嵌合口と、
前記ホルダの周縁に形成された第２の嵌合口と、
前記前面板の正面から前記第１及び前記第２の嵌合口に嵌合する軸を有する装飾部材と、を備えたことを特徴とする電子機器の筐体構造。
【請求項４】
本体を内蔵するケースの前面開口部に配置され、表示用開口部と、該表示用開口部に隣接する記録媒体挿排用開口部を有する前面板と、
画像や文字を表示する表示板を有し、該表示板を収納する筐体からなる表示部と、
前記表示部を前記ケース側に位置決め固定するためのホルダとを備えた電子機器の筐体構造において、
前記記録媒体挿排用開口部の背面に設けられ、前記記録媒体挿排用開口部を覆う開口シールド板と、
前記表示用開口部と前記記録媒体挿排用開口部の間に形成された隔壁に形成されたれた第１の嵌合口と、
前記ホルダの周縁に形成された第２の嵌合口と、
前記シールド板の端部に延在し、前記第１及び第２の嵌合口に嵌合する補強部と、を備えたことを特徴とする電子機器の筐体構造。
【発明の詳細な説明】
【０００１】
【発明の属する技術分野】
本発明は、表示用開口部と記録媒体挿排用開口部とが隣接した前面板を有する電子機器の筐体構造に関する。
【０００２】
【従来の技術】
従来の電子機器の構造を図を用いて説明する。
【０００３】
図７は従来の電子機器の構造を示す図で、（ａ）は外観斜視図で、（ｂ）はＫーＫ断面図である。
【０００４】
電子機器９００は前面板９２とケース１とが合わさって形成され、本体となる記録媒体の再生装置１１や画像や文字などを表示する表示板１２１からなる表示部１２が内蔵されている。表示部１２は表示板１２１を前方（前面板９２に内接する方向）に向けてケース１に固定されている。前面板９２はコンパクトディスク（以下ＣＤと言う）等の記録媒体の挿排口２１と、挿排口２１に隣接して表示部１２の表示板１２１を目視可能にする表示用開口部２２が設けられている。そして挿排口２１と表示用開口部２２の間に隔壁９３が形成されている。
【０００５】
【特許文献】
なし。
【０００６】
【発明が解決しようとする課題】
近年、このような電子機器において、多量の情報を表示したり、視認性の確保のため等に表示の大型化が図られている。この影響により隔壁９３を十分に厚肉形状に形成することができない。前述の構造では、隔壁９３の中央部９３ａは本体側から支えるものがないので手指等の外力、あるいは熱膨張によって撓んで変形し、見栄えが悪くなり意匠的に好ましくない。また、ＣＤの挿排路を遮るように変形すると挿排動作が妨害される恐れがある。
【０００７】
本発明は上述の問題を解決するもので、隔壁９３が外力や熱膨張で撓まない電子機器を提供することを課題とする。
【０００８】
【課題を解決するための手段】
本発明は上述の課題を達成するもので、本体を内蔵するケースの前面開口部に配置され、表示用開口部と、該表示用開口部に隣接する記録媒体挿排用開口部を有する前面板と、画像や文字を表示する表示板を有し、該表示板を収納する筐体からなる表示部と、前記表示部を前記ケース側に位置決め固定するためのホルダとを備えた電子機器の筐体構造において、前記表示用開口部と前記記録媒体挿排用開口部の間に形成された隔壁と、前記ホルダの周縁の一方に係止片を形成し、他方に挿入部を形成してなる嵌合手段と、を備えたことを特徴とするものである。
【０００９】
また、本体を内蔵するケースの前面開口部に配置され、表示用開口部と、該表示用開口部に隣接する記録媒体挿排用開口部を有する前面板と、画像や文字を表示する表示板を有し、該表示板を収納する筐体からなる表示部と、前記表示部を前記ケース側に位置決め固定するためのホルダとを備えた電子機器の筐体構造において、前記表示用開口部と前記記録媒体挿排用開口部の間に形成された隔壁と、前記表示部を収納する筐体の周縁の一方に係止片を形成し、他方に挿入部を形成してなる嵌合手段と、を備えたことを特徴とするものである。
【００１０】
また、本体を内蔵するケースの前面開口部に配置され、表示用開口部と、該表示用開口部に隣接する記録媒体挿排用開口部を有する前面板と、画像や文字を表示する表示板を有し、該表示板を収納する筐体からなる表示部と、前記表示部を前記ケース側に位置決め固定するためのホルダとを備えた電子機器の筐体構造において、前記表示用開口部と前記記録媒体挿排用開口部の間に形成された隔壁に形成された貫通してなる第  １の嵌合口と、前記ホルダの周縁に形成された第２の嵌合口と、前記前面板の正面から前記第１及び前記第２の嵌合口に嵌合する軸を有する装飾部材と、を備えたことを特徴とするものである。
【００１１】
また、本体を内蔵するケースの前面開口部に配置され、表示用開口部と、該表示用開口部に隣接する記録媒体挿排用開口部を有する前面板と、画像や文字を表示する表示板を有し、該表示板を収納する筐体からなる表示部と、前記表示部を前記ケース側に位置決め固定するためのホルダとを備えた電子機器の筐体構造において、前記記録媒体挿排用開口部の背面に設けられ、前記記録媒体挿排用開口部を覆う開口シールド板と、前記表示用開口部と前記記録媒体挿排用開口部の間に形成された隔壁に形成されたれた第１の嵌合口と、前記ホルダの周縁に形成された第２の嵌合口と、前記シールド板の端部に延在し、前記第１及び第２の嵌合口に嵌合する補強部と、を備えたことを特徴とするものである。
【００１２】
【発明の実施の形態】
本発明の第１の実施の形態に係る電子機器の構造を図を用いて説明する。図１は本発明の第１の実施の形態に係る電子機器の構造図で、（ａ）は分解斜視図で、（ｂ）はＡ−Ａ断面図である。
【００１３】
電子機器１００は前面板２とケース１とが合わさって形成され本体となる記録媒体の再生装置１１や画像や文字などを表示する表示部１２が内蔵されている。１２は液晶パネルやプラズマディスプレイ等からなる表示板１２１と、筐体１２２等とからなり、再生中の曲番号等を表示する表示部である。前面板２はＣＤ，ＭＤ，カセット等の記録媒体の挿排口２１（記録媒体挿排用開口部）と、挿排口２１の隣接に、表示部１２を目視可能とする表示用開口部２２が設けられており、挿排口２１と表示用開口部２２との間には隔壁２３が形成されている。隔壁２３の長さ方向（図１（ａ）の左右方向）の中間位置にケース１の方向に延びる柱状の突起２４（挿入部）が設けられている。３は表示部１２をケース１に固定するとともに、隔壁２３を係止するホルダである。ホルダ３は表示部１２の左右と上部の側壁を囲む枠部３１と、枠部３１の両端から水平方向に延設された取付け部３２と、枠部３１の略中央にあって前面板２の内壁面に沿って上方に延設された支持部３３（係止片）からなり、取付け部３２にはネジ３２２が貫通するネジ用穴３２１が設けられ、支持部３３には隔壁２３の突起２４に嵌合する嵌合穴３３１が設けられている。
【００１４】
そして、組立状態では隔壁２３の突起２４がホルダ３の嵌合穴３３１に嵌合し、ホルダ３は表示部１２と共にネジ３２２によりケース１に固定されている。このように、突起２４と支持部３３が嵌合することで、隔壁２３がホルダ３により位置固定されるので変形を防ぐことが可能となる。さらに、隔壁２３はホルダ３を介してケース１に固定されているのでケース１に対して相対的に変位しない。
【００１５】
以上説明したように本実施の形態に係る電子機器１００は支持部３３と突起２４により隔壁２３が固定および補強され、外力、あるいは熱膨張による縦方向  （図１  （ｂ）  のａ方向）への変形が防がれ、記録媒体の挿排動作が妨げられることが無くなる。また、既存の部材を用いて補強することで新たに補強部材を設ける必要がない。
【００１６】
なお、本実施の形態では隔壁２３に突起２４を設け、ホルダ３に支持部３３を設けたが、隔壁に係止片を設け、ホルダに挿入部を設けて嵌合することも可能である。図２にその事例を示す。図２は本発明の第１の実施の形態に係る電子機器の変形例の図である。なお、  第１実施の形態と同じ構成については同じ符号を付し説明を省略する。
【００１７】
電子機器２００は前面板７２とケース１とが合わさって形成され、本体となる記録媒体の再生装置１１や画像や文字などを表示する表示部１２が内蔵されている。前面板７２は記録媒体の挿排口２１と挿排口２１の隣接に、表示用開口部２２の間に隔壁７３が形成されている。隔壁７３の内壁面にはＣＤ，ＭＤ，カセット等を挿入し易くするための挿入ガイド２１１が奥行き方向に上り勾配で延設され、挿入ガイド２１１と少し  （３ｍｍ程度）間隔を置いて隔壁７３から奥行き方向に水平に伸びた片７２１が延設されている。そして、  挿入ガイド２１１と片７２１とが対になって後述の突起６５１を挟持する支持部２５（係止片）を構成する。６は表示部１２をケース内に固定するとともに、隔壁７３を係止するホルダである。ホルダ６は表示部１２の左右と上部の側壁を囲む枠部３１と、枠部３１の両端から水平方向に延設された取り付け部３２と、枠部の略中央にあって前面板７２の内壁面に沿って上方に延設されたアーム６５とからなる。アーム６５には、隔壁７３の支持部２５に向かって伸びる突起６５１（挿入部）が形成されている。
【００１８】
そして、組み立て状態では隔壁７３の支持部２５がホルダ６の突起６５１に嵌合してホルダ６は表示部１２と共にねじ３２２によりケース１に固定されている。このように、突起６５１と支持部２５が嵌合することで、隔壁７３がホルダ６により位置固定されるので変形を防ぐことが可能となる。さらに、隔壁７３はホルダ６を介してケース１に固定されているのでケース１に対して相対的に変位しない。
【００１９】
以上説明したように本実施の形態に係る電子機器２００は支持部２５と突起６５１により隔壁７３が固定および補強され、外力、あるいは熱膨張による縦方向への変形が防がれ、記録媒体の挿排動作が妨げられることが無くなる。また、既存の部材を用いて補強することで新たに補強部材を設ける必要がない。
【００２０】
次に、本発明の第２の実施の形態に係る電子機器の構造を図を用いて説明する。
【００２１】
図３は本発明の第２の実施の形態に係る電子機器の構造図で、（ａ）は分解斜視図で、（ｂ）はＢ−Ｂ断面図である。なお、第１実施の形態と同じ構成については同じ符号を付し説明を省略する。
【００２２】
電子機器３００は前面板２とケース１とが合わさって形成され、本体となる記録媒体の再生装置１１や画像や文字などを表示する表示部１３が内蔵されている。    表示部１３は表示板１２１、筐体１３２等からなり、再生中の曲番号等を表示する表示部である。筐体１３２の上辺の略中央には前面板２の内壁面に沿って上方に延設された支持部１３４があり、支持部１３４には隔壁２３の突起２４に嵌合する嵌合穴１３５が設けられている。５は表示部１３の左右の側壁と上部の側壁を囲む枠部５１と枠部５１から水平方向に延設された取付け部５２とからなるホルダである。取付け部５２には取付けネジ３２２が貫通するネジ用穴５２１が設けられている。
【００２３】
そして、組み立て状態では隔壁２３の突起２４が表示部１３の嵌合穴１３５に嵌合し、表示部１３はホルダ５と共にネジ３２２によりケース１に固定されている。このように突起２４と支持部１３４が嵌合することで、隔壁２３が表示部１３により位置固定されるので変形を防ぐことが可能となる。さらに、隔壁２３は表示部１３とホルダ５を介してケース１に固定されているのでケース１に対して相対的に変位しない。
【００２４】
以上説明したように本実施の形態に係る電子機器３００は隔壁２３が外力、  あるいは熱膨張による縦方向への変形が防がれ、  記録媒体の挿排動作が妨げられることが無くなる。また、  既存の部材を用いて補強することで新たに補強部材を設ける必要がない。
【００２５】
なお、本実施の形態では隔壁２３に突起２４を設け、表示部１３に支持部１３４を設けたが、隔壁に係止片を設け、表示部に挿入部を設けることも可能である。図４にその事例を示す。図４は本発明の第２の実施の形態に係る電子機器の変形例の図で、（ａ）は分解斜視図で、（ｂ）はＢ−Ｂ断面図である。なお、  第１，第２の実施の形態と同じ構成については同じ符号を付し説明を省略する。
【００２６】
電子機器４００は前面板７２とケース１とが合わさって形成され、  本体となる記録媒体の再生装置１１や画像や文字などを表示する表示部１４が内蔵されている。前面板７２は記録媒体の挿排口２１と挿排口２１の隣接に、表示用開口部２２の間に隔壁７３が形成されている。隔壁７３の内壁面にはＣＤ，ＭＤ，カセット等を挿入し易くするための挿入ガイド２１１が奥行き方向に上り勾配で延設され、挿入ガイド２１１と少し  （３ｍｍ程度）間隔を置いて隔壁７３から奥行き方向に水平に伸びた片７２１が延設されている。そして、  挿入ガイド２１１と片７２１とが対になって後述の突起１４５を挟持する支持部２５（係止片）を構成する。１４は表示板１２１、筐体１４２等からなる表示部である。筐体１４２の上辺の略中央には前面板７２の内壁面に沿って上方に延設されたアーム１４４があり、アーム１４４の前面板７２に対面して前面板７２の水平に伸びた突起１４５（挿入部）が設けられている。
【００２７】
そして、組立状態では隔壁７３の支持部２５と表示部１４の突起１４５が嵌合して、表示部１４はホルダ５によりケース１に固定されている。このように、突起１４５と支持部２５が嵌合することで、隔壁７３が表示部１４により位置固定されるので変形を防ぐことが可能となる。さらに、隔壁７３は表示部１２  とホルダ５を介してケース１に固定されているのでケース１に対して相対的に変位しない。
【００２８】
以上説明したように本実施の形態に係る電子機器４００は隔壁７３が外力、  あるいは熱膨張による縦方向への変形が防がれ、  記録媒体の挿排動作が妨げられることが無くなる。また、  既存の部材を用いて補強することで新たに補強部材を設ける必要がない。
【００２９】
次に、本発明の第３の実施の形態に係る電子機器の構造を図を用いて説明する。
【００３０】
図５は本発明の第３の実施の形態に係る電子機器の構造図で、（ａ）は中央断面図で、（ｂ）はＨ部拡大図である。なお、第１，第２の実施の形態に係る電子機器と同じ構成については同じ符号を付し説明を省略する。
【００３１】
電子機器５００は前面板５２とケース１とが合わさって形成され、本体となる記憶媒体の再生装置１１や画像や文字などを表示する表示部１２が内蔵されている。前面板５２は挿排口２１と挿排口２１に隣接して、表示部１２を目視可能とする表示用開口部２２が設けられており、挿排口２１と表示用開口部２２との間には隔壁５３が形成されている。隔壁５３には貫通してなる嵌合穴５４が設けられている。１５は前面板５２の嵌合穴５４より大きい直径の頭部１５２と、頭部１５２から延設された嵌合穴５４に嵌合する直径の軸部１５１からなるピン部材であり、  例えば頭部１５２の頭頂部（軸部が延設されていない面）にロゴマーク等の装飾が施されている。頭部１５２の前面板５２と当接する当り面１５２ａには両面接着シート等の感圧性接着剤が塗布されていて、ピン部材１５は前面板５２に接着されている。軸部１５１は嵌合穴５４およびホルダ３の嵌合穴３３１を貫通している。ホルダ３は表示部１２と共にネジ３２２（図１（ａ））によりケース１に固定されている。このように、隔壁５３が軸１５で支持部３３１と連結することで隔壁５３がホルダ３に位置固定されるので変形を防ぐことが可能になる。さらに、ホルダ３を介してケース１に固定されているのでケース１に対して相対的に変位しない。
【００３２】
なお、本実施の形態ではピン部材１５は前面板５２に接着されているが、接着剤を使用せず、嵌合穴５４又は、嵌合穴３３１に軸１５１を圧入嵌合させて隔壁５３とホルダ３の係合状態を保つことも可能である。
【００３３】
また、ホルダ３と表示部１２の組み合わせはホルダ５（図３（ａ））と表示部１３に置換することも可能である。
【００３４】
以上説明したように本実施の形態に係る電子機器５００はピン部材１５とホルダ３により隔壁５３が固定、  補強され外力、あるいは熱膨張による縦方向への変形が防がれ、記録媒体の挿排動作が妨げられることが無くなる。
【００３５】
次に、本発明の第４の実施の形態に係る電子機器の構造を図を用いて説明する。
【００３６】
図６は本発明の第４の実施の形態に係る電子機器の構造図で、（ａ）は中央断面図で、（ｂ）はＪ部拡大図である。なお、第１，２，３の実施の形態に係る電子機器と同じ構成については同じ符号を付し説明を省略する。
【００３７】
電子機器６００は前面板６２とケース１とが合わさって形成され、本体となる記憶媒体の再生装置再生装置１１や画像や文字などを表示する表示板１２からなる表示部１２が内蔵されている。前面板６２は挿排口２１と挿排口２１に隣接して、表示部１２を目視可能とする表示用開口部２２が設けられており、挿排口２１と表示用開口部２２との間には隔壁６３が形成されている。隔壁６３の内壁には嵌合凹部６４（第１の嵌合口）が設けられている。６１は電子機器に外部から電磁気が侵入するのを遮蔽するシールド板（開口シールド板）である。シールド板６１は鋼板製で再生装置の前方開口部１１ａの面に沿ったシールド部６１１と、シールド部６１１から前面板６２の嵌合凹部６４に向かって延びる係合片６１２（補強部）からなる。シールド部６１１には再生装置開口部１１ａに対面す位置に挿排用開口部６１３が設けられている。係合片６１２はホルダ３の嵌合穴３３１を貫通して隔壁６３の嵌合凹部６４に嵌合しており、ホルダ３はネジ３２２（図１）によりケース１に固定されている。即ち、隔壁６３シールド板６１とホルダ３を介してケース１に固定されているのでケース１に対して相対的に変位しない。
【００３８】
以上説明したように本実施の形態に係る電子機器６００はシールド板６１に形成された係合片６１２と嵌合凹部６４および嵌合穴３３１が嵌合することで隔壁６３が固定、  補強され外力、あるいは熱膨張による変形が防がれ、記録媒体の挿排動作が妨げられることが無くなる。また、シールド板６１１と係合片６１２が一体構造であるので部材費用と加工工数が節約できる。
【００３９】
なお、ホルダ３と表示部１２の組み合わせはホルダ５（図３（ａ））と表示部１３に置換することも可能である。
【００４０】
以上の隔壁が前面板の縦方向へ動かない構造に加えて、前面平面に直交する方向にも変位しない構造にすることは容易にできる。すなわち、第１の実施の形態における前面板２の突起２４とホルダ３の嵌合穴３３１を圧入構造にして、該前面板を表示部１２に密着させておくと隔壁２３は前面板の前面平面に直交する方向にも変位しない構造になる。この構造は第２，第３の形態においても応用できる。
【００４１】
【発明の効果】
以上説明したように本発明によれば、簡易な構造で前面板の媒体挿排口と表示用開口部との間に設けられた剛性の低い隔壁を撓まないように補強し外力や熱応力に強い電子機器が提供できる。
【図面の簡単な説明】
【図１】本発明の第１の実施の形態に係る電子機器の構造図である。
【図２】本発明の第１の実施の形態に係る電子機器の変形例の図である。
【図３】本発明の第２の実施の形態に係る電子機器の構造図である。
【図４】本発明の第２の実施の形態に係る電子機器の変形例の図である。
【図５】本発明の第３の実施の形態に係る電子機器の構造図である。
【図６】本発明の第４の実施の形態に係る電子機器の構造図である。
【図７】従来の電子機器の構造図である。
【符号の説明】
１・・・・・・・・・・・・・・・ケース
１１・・・・・・・・・・・・・・再生装置
１２，１３，１４・・・・・・・・表示部
１２１・・・・・・・・・・・・・表示板
１２２，１３２，１４２・・・・・筐体
１３４，２５，３３・・・・・・・支持部
１３５，３３１，５４・・・・・・・・嵌合穴
１５・・・・・・・・・・・・・・ピン部材
１５１・・・・・・・・・・・・・軸部
２  ，５２，６２，７２，９２・・・前面板
２１・・・・・・・・・・・・・・挿排口
２２・・・・・・・・・・・・・・表示用開口部
２３，５３，６３，７３，９３・・隔壁
１４２、２４，６５１・・・・・・突起
３，５，６・・・・・・・・・・・ホルダ
６１・・・・・・・・・・・・・・シールド板
６１２・・・・・・・・・・・・・係合片
６４・・・・・・・・・・・・・・嵌合凹部
【図１】
2004246941.tif 000003
【図２】
2004246941.tif 000004
【図３】
2004246941.tif 000005
【図４】
2004246941.tif 000006
【図５】
2004246941.tif 000007
【図６】
2004246941.tif 000008
【図７】
2004246941.tif 000009